(57)【要約】【課題】手間どらずに包装操作を行うことができる作業効率の良い羽根ガード包装装置を得る。【解決手段】放射状に配列する湾曲した鋼線６と、これらの鋼線６を繋ぐ複数のリング状の鋼線７とにより略カップ状に構成され、内側には周方向に等間隔に突出する、換気扇本体への取付構造８を備えた羽根ガード１を包装する包装装置について、その羽根ガード１を包み込むシート又は袋状のフィルム包被材９と、フィルム包被材９の羽根ガード１の開放部側の口縁を押さえ付け羽根ガード１に密接させる紙製の保持板１０とからなり、その保持板１０を羽根ガード１の取付構造８に係脱可能に係止し、全体を段ボール箱に収め込む。【選択図】　　　　　図６
2004035048.tif 000002
【特許請求の範囲】
【請求項１】
放射状に配列する湾曲した鋼線と、これらの鋼線を繋ぐ複数のリング状の鋼線とにより略カップ状に構成され、内側には周方向に等間隔に突出する、換気扇本体への取付構造を備えた羽根ガードを包装する包装装置であって、その羽根ガードを包み込むシート又は袋状のフィルム包被材と、このフィルム包被材の前記羽根ガードの開放部側の口縁を押さえ付け羽根ガードに密接させる紙製の保持板とからなり、その保持板を前記羽根ガードの取付構造に係脱可能に係止し、全体を段ボール箱に収め込んだ羽根ガード包装装置。
【請求項２】
請求項１に記載の羽根ガード包装装置であって、取付構造が四個ある羽根ガードについて、保持板を、その取付構造を結ぶ平面より若干大きい四角形に構成し、その中央部分に曲げ罫線を設け、この曲げ罫線で屈曲させて四箇所の角部を前記取付構造に嵌合わせて平板態にした羽根ガード包装装置。
【請求項３】
請求項１に記載の羽根ガード包装装置であって、保持板に取付構造を結ぶ平面より突出する突部と、平面部の中央部分に曲げ罫線とを設け、この曲げ罫線で屈曲させて突部を前記取付構造に嵌合わせて平板態にした羽根ガード包装装置。
【請求項４】
請求項１に記載の羽根ガード包装装置であって、保持板を、その取付構造を結ぶ平面より大きい平板に構成し、平板の取付構造対応位置に抜孔を設け、この抜孔に前記取付構造を嵌合わせて係止した羽根ガード包装装置。
【請求項５】
請求項４に記載の羽根ガード包装装置であって、保持板の抜孔の孔縁に取付構造に係合するフラップを設けた羽根ガード包装装置。
【発明の詳細な説明】
【０００１】
【発明の属する技術分野】
本発明は、換気扇本体に取付けられる鋼線でできたカップ状の比較的大型の換気扇に装備される羽根ガードを包装する羽根ガード包装装置に関するものである。
【０００２】
【従来の技術】
換気扇の羽根ガードは、鋼線によりカップ状に構成されていて、大型のものでは嵩の大きなものである。この羽根ガードの包装には、従来はＪＩＳ―Ａ式の段ボール箱が使われてきた。羽根ガードをポリシート又はポリ袋等の包被材で包んでＪＩＳ―Ａ式の段ボール箱に収めている。集合包装では、上述のように包被材で個々に包んだ羽根ガードを重ね合わせて、一纏まりにしてＪＩＳ―Ａ式の段ボール箱に収められている。
【０００３】
【発明が解決しようとする課題】
上記した従来の羽根ガード包装装置においては、包被材の端縁の処理が面倒で包装作業に手間がかかるといった問題点がある。即ち、大型の羽根ガードでは包被材も大きく、包被材の口縁を摘んで内部の空気を抜きながら口縁を押込まねばならず、この口縁の操作に結構手間どっている。
【０００４】
本発明は、係る従来の問題点を解決するためになされたものであって、その課題とするところは、手間どらずに包装操作を行うことができる作業効率の良い羽根ガード包装装置を得ることである。
【０００５】
【課題を解決するための手段】
前記課題を達成するために請求項１の発明は、放射状に配列する湾曲した鋼線と、これらの鋼線を繋ぐ複数のリング状の鋼線とにより略カップ状に構成され、内側には周方向に等間隔に突出する、換気扇本体への取付構造を備えた羽根ガードを包装する包装装置について、その羽根ガードを包み込むシート又は袋状のフィルム包被材と、このフィルム包被材の羽根ガードの開放部側の口縁を押さえ付け羽根ガードに密接させる紙製の保持板とからなり、その保持板を羽根ガードの取付構造に係脱可能に係止し、全体を段ボール箱に収め込む手段を採用する。
【０００６】
前記課題を達成するために請求項２の発明は、請求項１に係る前記手段における取付構造が四個ある羽根ガードについて、保持板を、その取付構造を結ぶ平面より若干大きい四角形に構成し、その中央部分に曲げ罫線を設け、この曲げ罫線で屈曲させて四箇所の角部を取付構造に嵌合わせて平板態にする手段を採用する。
【０００７】
前記課題を達成するために請求項３の発明は、請求項１に係る前記手段における保持板に、取付構造を結ぶ平面より突出する突部と、平面部の中央部分に曲げ罫線とを設け、この曲げ罫線で屈曲させて突部を取付構造に嵌合わせて平板態にする手段を採用する。
【０００８】
前記課題を達成するために請求項４の発明は、請求項１に係る前記手段における保持板を、取付構造を結ぶ平面より大きい平板に構成し、平板の取付構造対応位置に抜孔を設け、抜孔に取付構造を嵌合わせて係止する手段を採用する。
【０００９】
前記課題を達成するために請求項５の発明は、請求項４に係る前記手段における保持板の抜孔の孔縁に取付構造に係合するフラップを設ける手段を採用する。
【００１０】
【発明の実施の形態】
実施の形態１．
図１〜図９によって示す本実施の形態は、図１に示すような比較的大型の換気扇の羽根ガード１を包装する羽根ガード包装装置に関するものである。本包装装置を適用する換気扇は、図１に示すように羽根車２を内包する角形の取付角枠３の片側に、羽根車２を回転させるモーター４を支持する四本の取付脚５が固定されている。取付角枠３は、中央に羽根車２を内包する円筒形のベルマウスを有し、このベルマウスに続く四角形の取付フランジを持ち、他の構成部品は全てこの取付角枠３の投影平面積内に収まっている。そして、モーター４の側面部分及び羽根車２並びにベルマウスは、係脱可能な羽根ガード１により被われている。
【００１１】
羽根ガード１は、図２及び図３に示すように放射状に配列する湾曲した鋼線６と、これらの鋼線６を繋ぐ複数のリング状の鋼線７とにより略カップ状に構成され、内側には周方向に四本の図４に示すような取付脚５を跨ぐ門形の取付構造８が等間隔に突出している。羽根ガード１の中央はモーター４の端面に相当する部分が開放していて、外周のリング状の鋼線７は、取付脚５を逃がすために四箇所で分断され、分断箇所は円弧状の鋼線で繋がれている。
【００１２】
この羽根ガード１を単独に包装する羽根ガード包装装置は、図５〜図７に示すように羽根ガード１を包み込むポリシート又はポリ袋等のフィルム包被材９と、フィルム包被材９の口縁を処理する段ボール紙よりなる保持板１０と、全体を収める段ボール箱とから構成されている。保持板１０は、羽根ガード１を包んだフィルム包被材９における羽根ガード１の開放部側の口縁を押さえ付け羽根ガード１に密接させるものであり、羽根ガード１の取付構造８を結ぶ平面より若干大きい図５に示すような四角形の平板として構成されている。保持板１０の中央部分には曲げ易くするために段ボール紙のコルゲートの目方向（図の矢印方向）に沿って曲げ罫線１１が設けられている。
【００１３】
保持板１０の取付けは、図６に示すように曲げ罫線１１で保持板１０を屈曲させ、羽根ガード１を包んだフィルム包被材９における羽根ガード１の開放部側の口縁を押さえ付け四箇所の角部を取付構造８に嵌合わせて上から軽く押圧して平板態にすることにより行われる。これにより、フィルム包被材９の口縁の処理は、空気で膨らんだり、煩わしい畳み込みを行うことなく、纏まりよく羽根ガード１に沿う形態に収まることになる。取付構造８に係合させた保持板１０は、角部の取付構造８への係合が安定しており、人為的操作なしには簡単には抜け出さない。
【００１４】
個別包装では、保持板１０で口縁を押さえたフィルム包被材９に包んだ羽根ガード１を段ボール箱に収納して包装完成形態となる。集合包装では、図８に示すようにフィルム包被材９に個々に包んだ羽根ガード１を重ね合わせ、全体を段ボール箱１２に詰める仕方で包装が行われる。この集合包装におけるスタッキング操作において、保持板１０の効果が顕著なものとなる。即ち、保持板１０なしにフィルム包被材９の口縁を押さえ付けながら、重ね合わせようとしても、口縁の纏まりが維持できなかったり、フィルム包被材９の中の空気が抜けなかったりして、結構手間取ることになる。この点、保持板１０で口縁の保持がされている本実施の形態のものでは、難なく重ね合わせていくことができる。
【００１５】
集合包装において、段ボール箱１２の外寸法が５５０ｍｍを越えるような場合、１１００ｍｍの標準パレットには一つしか載らないため、羽根ガード１を縦にして重ね縦型の段ボール箱に収納する。これにより、輸送効率を改善することができる。
【００１６】
保持板１０については、図９に示すように取付構造８を結ぶ平面より突出する突部１３を設け、平面部１４の中央部分に設けた曲げ罫線１１で屈曲させて、突部１３を取付構造８に嵌合わせるようにしてもよい。
【００１７】
実施の形態２．
図１０〜図１２によって示す本実施の形態は、実施の形態１で示した羽根ガード包装装置の保持板における取付構造に対する係止手段に関するものであり、これに係る構成以外は実施の形態１のものと同じである。従って、実施の形態１のものと同じ部分については実施の形態１のものと同じ符号を用いそれらについての説明は省略する。
【００１８】
本実施の形態の羽根ガード包装装置は、保持板１０を羽根ガード１の取付構造８を結ぶ平面より大きい平板に構成し、平板の取付構造対応位置に図１０に示すように抜孔１５を設け、この抜孔１５に取付構造８を差込み嵌合わせて係止するようにしたものである。抜孔１５は、無闇に取付構造８から抜けない差込み抵抗を持つようその寸法が設定されている。保持板１０の脱落の防止を一層しっかりと確保するには、図１１に示すように、保持板１０の抜孔１５の孔縁に取付構造８に係合するフラップ１６を設けるか、図１２に示すように取付構造８にコードクリップ等の抜止手段１７を装着すればよい。これ以外の構成及び機能は実施の形態１のものと同じである。
【００１９】
【発明の効果】
請求項１の発明によれば、手間どらずに包装操作を行うことができる作業効率の良い羽根ガード包装装置が得られる。
【００２０】
請求項２の発明によれば、請求項１に係る前記効果とともに取付構造への保持板の装着が容易になる。
【００２１】
請求項３の発明によれば、請求項１に係る前記効果とともに取付構造への保持板の装着が容易になる。
【００２２】
請求項４の発明によれば、手間どらずに包装操作を行うことができる作業効率の良い羽根ガード包装装置が得られる。
【００２３】
請求項５の発明によれば、請求項４に係る前記効果とともに保持板の係止状態が安定する。
【図面の簡単な説明】
【図１】実施の形態１の羽根ガード包装装置を適用する換気扇の斜視図である。
【図２】実施の形態１の羽根ガード包装装置を適用する羽根ガードの平面図である。
【図３】実施の形態１の羽根ガード包装装置を適用する羽根ガードの側面図である。
【図４】実施の形態１の羽根ガード包装装置を適用する羽根ガードの取付構造の拡大斜視図である。
【図５】実施の形態１の羽根ガード包装装置の保持板の平面図である。
【図６】実施の形態１の羽根ガード包装装置の包装操作を示す側面図である。
【図７】実施の形態１の羽根ガード包装装置を段ボール箱を除いて示す平面図である。
【図８】実施の形態１の羽根ガード包装装置の断面図である。
【図９】実施の形態１の羽根ガード包装装置の他の保持板を示す平面図である。
【図１０】実施の形態２の羽根ガード包装装置の保持板を示す平面図である。
【図１１】実施の形態２の羽根ガード包装装置の他の保持板を示す平面図である。
【図１２】実施の形態２の羽根ガード包装装置の他の形態を示す拡大側断面図である。
【符号の説明】
１　羽根ガード、　５　取付脚、　６　鋼線、　７　鋼線、　８　取付構造、９　フィルム包被材、　１０　保持板、　１１　曲げ罫線、　１２　段ボール箱、　１３　突部、　１４　平面部、　１５　抜孔、　１６　フラップ。
【図１】
2004035048.tif 000003
【図２】
2004035048.tif 000004
【図３】
2004035048.tif 000005
【図４】
2004035048.tif 000006
【図５】
2004035048.tif 000007
【図６】
2004035048.tif 000008
【図７】
2004035048.tif 000009
【図８】
2004035048.tif 000010
【図９】
2004035048.tif 000011
【図１０】
2004035048.tif 000012
【図１１】
2004035048.tif 000013
【図１２】
2004035048.tif 000014